(57)【要約】      （修正有）【課題】薬剤効果を効率よく使用者の頭部に及ぼす薬剤収容部を備える眼鏡フレームを提供する。【解決手段】眼鏡フレーム１０のテンプル１４は薬剤収容部２０を備える。薬剤収容部２０は、テンプル１４内部の収容空間２１と、テンプル１４の外側から収容空間２１に通じる通孔２２と、通孔２２を塞ぐ膜２３と、収容空間２１の上面に設けられた注入口２４と、注入口を塞ぐ蓋２５と、注入口２４の縁に設けられ蓋２５を結合するヒンジ結合部２６を有する。収容空間２１には薬剤３０が収容され、気化した薬剤３０が通孔２２を通じて放散される。【選択図】図１
0003228384.tif 000002
【実用新案登録請求の範囲】
【請求項１】
フレーム本体と、
前記フレーム本体に設けられ、薬剤が収容されるとともにその薬剤を周辺雰囲気に放散可能な薬剤収容部と、を備える眼鏡フレーム。
【請求項２】
前記薬剤収容部が、
前記フレーム本体の内部に形成され、前記薬剤を収容する内部空間と、
前記フレーム本体の表面から前記内部空間に通じるよう前記フレーム本体に形成される注入口と、
前記注入口に設けられ、開閉可能な蓋と、を有する
請求項１に記載の眼鏡フレーム。
【請求項３】
前記薬剤収容部が、前記薬剤が収容される内部空間を有したカートリッジ本体を有し、
前記フレーム本体に格納凹部が凹設され、
前記カートリッジ本体が前記格納凹部に着脱可能に装着される
請求項１に記載の眼鏡フレーム。
【請求項４】
前記薬剤収容部が、
前記薬剤が収容される内部空間を有する可撓性袋体と、
互いに離間するよう前記可撓性袋体に設けられた第１面ファスナ及び第２面ファスナと、を有し、
前記可撓性袋体が前記フレーム本体に巻き付けられて、前記第１面ファスナ及び前記第２面ファスナが互いに結合されることによって、前記可撓性袋体が前記フレーム本体に留められる
請求項１に記載の眼鏡フレーム。
【請求項５】
抗菌素材が前記フレーム本体の表面にコーティングされ、或いは前記フレーム本体が抗菌素材をフィラーとして母材樹脂に分散してなる抗菌性樹脂からなる
請求項１から４の何れか１項に記載の眼鏡フレーム。
【請求項６】
抗菌素材がフレーム本体の表面にコーティングされ、或いは前記フレーム本体が抗菌素材をフィラーとして母材樹脂に分散してなる抗菌性樹脂からなる眼鏡フレーム。
【請求項７】
眼鏡フレームに外装され、薬剤が収容されるとともにその薬剤を周辺雰囲気に放散可能な薬剤収容パッケージであって、
前記薬剤が収容される内部空間を有する可撓性袋体と、
互いに離間するよう前記可撓性袋体に設けられた第１面ファスナ及び第２面ファスナと、を有し、
前記可撓性袋体が前記眼鏡フレームに巻き付けられて、前記第１面ファスナ及び前記第２面ファスナが互いに結合されることによって、前記可撓性袋体が前記眼鏡フレームに留められる
薬剤収容パッケージ。
【考案の詳細な説明】
【技術分野】
【０００１】
本考案は、眼鏡フレーム及び薬剤収容パッケージに関する。
【背景技術】
【０００２】
非特許文献１には、アロマオイルを注入できる孔を有するガラス体を備えるネックレスが開示されている。アロマ成分がガラス体の孔を通過して、ネックレスの周辺に心地よい香りが漂う。
また、非特許文献２には、除菌効果を有する亜塩素酸ナトリウム液及び高吸水性樹脂を封入した携帯型のスティックが開示されている。亜塩素酸ナトリウム液から生じた二酸化塩素がスティックから漏れて、スティックの周辺雰囲気が除菌される。
また、特許文献３には、純粋二酸化塩素液剤及び高吸水性樹脂を含有したゲル状組成物が開示されている。ゲル状組成物から蒸散した二酸化塩素によって周囲の除菌が実現される。
【先行技術文献】
【非特許文献】
【０００３】
【非特許文献１】“アロマアクセサリーの使い方”、［online］、２０１０年、タビノキセキ、［令和２年７月８日検索］、インターネット＜ＵＲＬ： http://tabinokiseki.shop-pro.jp/?mode=f4＞
【非特許文献２】“クレベリンスティックペンタイプ”、［online］、２０１５年、大幸薬品株式会社、［令和２年７月８日検索］、インターネット＜ＵＲＬ：https://www.seirogan.co.jp/cleverin/cleverin/products/cleverin_stick.html＞
【特許文献】
【０００４】
【特許文献３】特許第５５９３４２３号公報
【考案の概要】
【考案が解決しようとする課題】
【０００５】
ところで、人間の頭部、特に顔面には、粘膜及び嗅覚器官等の器官が集中していることから、香り成分又は除菌成分といった薬剤成分の発生源を人間の頭部の近くに配置して、薬剤効果を効率よく使用者の頭部に及ぼすことが要望される。
【０００６】
そこで、本考案は上記事情に鑑みてなされたものであって、薬剤効果を効率よく使用者の頭部に及ぼすことを目的とする。
【課題を解決するための手段】
【０００７】
以上の課題を解決するために、フレーム本体と、前記フレーム本体に設けられ、薬剤が収容されるとともにその薬剤を周辺雰囲気に放散可能な薬剤収容部と、を備える眼鏡フレームが提供される。
【０００８】
以上によれば、使用者が眼鏡フレームを頭部に着用すると、薬剤収容部が使用者の頭部の近傍に配置されることから、薬剤収容部から放散した薬剤が器官の集中した頭部の周辺に漂う。それゆえ、薬剤効果が効率よく使用者の頭部に及ぶ。
【０００９】
好ましくは、前記薬剤収容部が、前記フレーム本体の内部に形成され、前記薬剤を収容する内部空間と、前記フレーム本体の表面から前記内部空間に通じるよう前記フレーム本体に形成される注入口と、前記注入口に設けられ、開閉可能な蓋と、を有する。
【００１０】
以上によれば、開閉可能な蓋が開かれると、注入口を通じて内部空間に薬剤を補充することができる。
【００１１】
好ましくは、前記薬剤収容部が、前記薬剤が収容される内部空間を有したカートリッジ本体を有し、前記フレーム本体に格納凹部が凹設され、前記カートリッジ本体が前記格納凹部に着脱可能に装着される。
【００１２】
以上によれば、格納凹部に装着されたカートリッジ本体を格納凹部から外せば、薬剤が収容された新たなカートリッジ本体をその格納凹部に装着することができる。従って、カートリッジ本体の交換により薬剤の補充を実現することができる。
【００１３】
好ましくは、前記薬剤収容部が、前記薬剤が収容される内部空間を有する可撓性袋体と、互いに離間するよう前記可撓性袋体に設けられた第１面ファスナ及び第２面ファスナと、を有し、前記可撓性袋体が前記フレーム本体に巻き付けられて、前記第１面ファスナ及び前記第２面ファスナが互いに結合されることによって、前記可撓性パッケージが前記フレーム本体に留められる。
【００１４】
以上によれば、第１面ファスナから第２面ファスナを離脱させると、可撓性パッケージを眼鏡フレームのフレーム本体から取り外すことができ、薬剤が収容された新たな可撓性パッケージを眼鏡フレームのフレーム本体に外装することができる。従って、可撓性パッケージの交換により薬剤の補充を実現することができる。
【００１５】
また、以上の課題を解決するために、眼鏡フレームに外装され、薬剤が収容されるとともにその薬剤を周辺雰囲気に放散可能な薬剤収容パッケージであって、前記薬剤が収容される内部空間を有する可撓性袋体と、互いに離間するよう前記可撓性袋体に設けられた第１面ファスナ及び第２面ファスナと、を有し、前記可撓性袋体が前記眼鏡フレームに巻き付けられて、前記第１面ファスナ及び前記第２面ファスナが互いに結合されることによって、前記可撓性袋体が前記眼鏡フレームに留められる薬剤収容パッケージが提供される。
【００１６】
以上によれば、第１面ファスナ及び第２面ファスナを用いてこの可撓性パッケージを眼鏡フレームに留めることができる。よって、この眼鏡フレームが既存のものであっても、この眼鏡フレームを着用した着用者の頭部の周辺に薬剤が漂い、薬剤効果が効率よく着用者の頭部に及ぶ。
なお、本考案における眼鏡フレームは、サングラスやゴーグルのフレームも含む。
【考案の効果】
【００１７】
本考案の実施形態によれば、眼鏡フレームを着用した使用者の頭部周辺に薬剤成分が漂い、薬剤効果が効率よく使用者の頭部に及ぶ。
【図面の簡単な説明】
【００１８】
【図１】眼鏡１の斜視図である。
【図２】眼鏡１Ａの斜視図である。
【図３】薬剤収容パッケージ２０Ｂの斜視図である。
【図４】眼鏡１Ｂの斜視図である。
【考案を実施するための形態】
【００１９】
以下、図面を参照して、本考案の実施形態について説明する。但し、以下に述べる実施形態には、本考案を実施するために技術的に好ましい種々の限定が付されているが、本考案の範囲を以下の実施形態及び図示例に限定するものではない。
【００２０】
＜＜第１の実施の形態＞＞
図１は、眼鏡１の斜視図である。眼鏡１は、眼鏡フレーム１０と、眼鏡フレーム１０に装着された左右一対のレンズ３と、を備える。眼鏡フレーム１０は、ブリッジ１１と、左右一対のリム１２、ヨロイ１３及びテンプル１４とを有する。
レンズ３は、無色透明又は有色透明の度付き又は度無しレンズである。レンズ３には、所定帯域の光（例えば、紫外線帯域）を遮蔽するフィルタが設けられてもよい。レンズ３はリム１２にそれぞれ装着されている。これらリム１２の間にはブリッジ１１が架け渡されて、これらリム１２がブリッジ１１によって繋がっている。リム１２の側部にはヨロイ１３がそれぞれ一体に設けられている。テンプル１４がヒンジによってヨロイ１３にそれぞれ連結され、テンプル１４を開閉することができる。眼鏡フレーム１０の一部又は全体、つまりブリッジ１１、リム１２、ヨロイ１３及びテンプル１４のうち少なくとも１つは、抗菌機能を有してもよい。具体的には、銅、光触媒（例えば、酸化チタン）又はナノシルバー等の抗菌素材が眼鏡フレーム１０の一部又は全体の表面にコーティングされているか、眼鏡フレーム１０の一部又は全体が抗菌素材をフィラーとして母材樹脂に分散してなる抗菌性樹脂からなる。
【００２１】
この眼鏡フレーム１０は、ブリッジ１１、リム１２、ヨロイ１３及びテンプル１４から構成されるフレーム本体に加えて、液状の薬剤３０を収容するとともにその薬剤３０を気体として周辺の雰囲気に放散可能な薬剤収容部２０を有する。以下、薬剤収容部２０について詳細に説明する。なお、テンプル１４は、薬剤収容部２０の設置領域を大きく確保すべく、上下方向及び左右方向に厚みを持たせて作られている。
【００２２】
薬剤収容部２０は、収容空間２１、通孔２２、膜２３、注入口２４、蓋２５及びヒンジ結合部２６を有する。
収容空間２１は、テンプル１４内部に形成された略直方体型の空洞である。収容空間２１には薬剤３０が収容される。
通孔２２はテンプル１４の外側の側面から収容空間２１に到達するようにテンプル１４に設けられている。ここで、テンプル１４に関して、眼鏡１の着用者のこめかみと向かい合う面がテンプル１４の内側の面であり、その反対面がテンプル１４の外側の側面である。
膜２３は、例えば収容空間２１の内壁面に貼着されるとともに、通孔２２を塞いでいる。膜２３は、液体を遮蔽するとともに気体を通過させる気液分離膜である。
注入口２４は、テンプル１４の上面において開口すると共に、テンプル１４の上面の下の収容空間２１へと通じている。注入口２４の上から薬剤３０を注入口２４へ向けて滴下させるだけで、薬剤３０を収容空間２１に容易に補充することができる。
蓋２５は、注入口２４の縁に設けられたヒンジ結合部２６によってテンプル１４と結合している。蓋２５は、ヒンジ結合部２６を支点として下に振り下げられることによって、注入口２４を閉塞し、振り上げられることによって注入口２４を開放する。蓋２５が開放された状態では、液状の薬剤３０を注入口２４を通じて収容空間２１へと注入することができる。蓋２５が閉じられた状態では、収容空間２１が密閉される。
【００２３】
液体状の薬剤３０は、膜２３によって遮蔽されて、収容空間２１内に貯留される。薬剤３０は、収容空間２１内において時間の経過に伴って徐々に気化する。気化した薬剤３０は膜２３を通過し、通孔２２を通じて収容空間２１の外部へと放散される。
【００２４】
薬剤３０は使用目的に適したものが選択される。例えば、薬剤３０は二酸化塩素が溶けたアルカリ性水溶液であれば、眼鏡１の周辺雰囲気の空間除菌が実現される。また、薬剤３０は各種植物の精油、天然香料又は人口香料を含有すると、香りによるアロマテラピー効果及び消臭が実現される。
【００２５】
使用者が以上の眼鏡１を頭部に着用すると、薬剤収容部２０、特にその通孔２２が使用者の頭部の近傍に配置される。それゆえ、通孔２２から放散した薬剤が使用者の頭部の周辺に漂うから、薬剤効果、例えば空間除菌効果、アロマテラピー効果又は消臭効果が効率よく使用者の頭部に及ぶ。薬剤効果の発生源たる薬剤収容部が頭部の周辺にあることは、心地よさ或いは心理的安心感を使用者に与えやすい。
【００２６】
薬剤収容部２０が注入口２４及び蓋２５を備えるため、収容空間２１に収容された薬剤３０が減少しても、注入口２４から薬剤３０を補充することができる。また、注入口２４が蓋２５によって塞がれているため、眼鏡１の使用時に薬剤３０が注入口２４から漏れることがない。
【００２７】
通孔２２が気液分離膜たる膜２３によって閉塞されていることから、収容空間２１内の液体状の薬剤３０の漏出がない。一方、気体状の薬剤３０は膜２３を通過して、収容空間２１の外へ漏れて、薬剤３０の効果が薬剤収容部２０の周辺雰囲気に及ぶ。
【００２８】
蓋２５がテンプル１４の上面に設けられていることから、蓋２５が不意に開くことがない。
【００２９】
＜＜第２の実施の形態＞＞
図２は、薬剤収容カートリッジ２０Ａを備える眼鏡１Ａの斜視図である。図２に示すように、第２実施形態では、第１実施形態の薬剤収容部２０の代わりに薬剤収容カートリッジ２０Ａがテンプル１４に着脱可能に取り付けられる。ここで、テンプル１４には、薬剤収容カートリッジ２０Ａを取り付けるための凹部２８Ａが設けられている。凹部２８Ａは、テンプル１４の上に向けて開放されるようテンプル１４に凹設されている。薬剤収容カートリッジ２０Ａが凹部２８Ａに取り付けられると、凹部２８Ａが塞がれる。
【００３０】
薬剤収容カートリッジ２０Ａは、カートリッジ本体２９Ａ、収容空間２１Ａ、通孔２２Ａ、膜２３Ａを備える。
カートリッジ本体２９Ａは、略直方体の箱型容器でその内部に収容空間２１Ａを有する。収容空間２１Ａには薬剤３０が収容される。カートリッジ本体２９Ａの外側表面と凹部２８Ａの内面には、凹部２８Ａに装着されるカートリッジ本体２９Ａをテンプル１４に対して相対的に上下方向に案内するガイドがそれぞれ設けられている。これらガイドの直交方向へのカートリッジ本体２９Ａの動きがこれらガイドによって拘束される。なお、カートリッジ本体２９Ａが凹部２８Ａの底に当接した状態において、カートリッジ本体２９Ａをテンプル１４にロックするロックがカートリッジ本体２９Ａ又はテンプル１４に設けられてもよい。
通孔２２Ａは、カートリッジ本体２９Ａの外側の表面、特に側面から内部の収容空間２１Ａに到達するようにカートリッジ本体２９Ａに設けられている。カートリッジ本体２９Ａが凹部２８Ａに装着された状態では、通孔２２Ａが凹部２８Ａの内面によって閉塞されず、通孔２２Ａが形成されたカートリッジ本体２９Ａの側面はテンプル１４の外側の側面と面一となっている。
気液分離膜としての膜２３Ａは、収容空間２１Ａの内面に貼着されて、通孔２２Ａを塞いでいる。収容空間２１Ａ内の薬剤３０が気化すると、その気体が膜２３Ａを通過し、通孔２２Ａを通じてカートリッジ本体２９Ａの外部へと放散される。
【００３１】
薬剤収容カートリッジ２０Ａは簡単に交換可能である。そのため、収容空間２１Ａ内の薬剤３０が減少した場合、薬剤収容カートリッジ２０Ａを凹部２８Ａから取り外して、薬剤３０が収容されている新たな薬剤収容カートリッジ２０Ａを凹部２８Ａに装着することができる。それゆえ、薬剤３０の効能が引き続き得られる。
【００３２】
＜＜第３の実施の形態＞＞
図３は薬剤収容パッケージ２０Ｂの斜視図であり、図４は薬剤収容パッケージ２０Ｂが取り付けられた眼鏡１Ｂの斜視図である。図３及び図４に示すように、第３実施形態では、第１実施形態の薬剤収容部２０の代わりに薬剤収容パッケージ２０Ｂがテンプル１４に着脱可能に外装される。ここで、眼鏡フレーム１０Ｂから薬剤収容パッケージ２０Ｂが取り外されてなるフレーム本体は既存又は既製のものであってもよい。
【００３３】
薬剤収容パッケージ２０Ｂは、可撓性袋体２９Ｂ、収容空間２１Ｂ、通孔２２Ｂ、膜２３Ｂ、第１面ファスナ２７Ｂ及び第２面ファスナ２８Ｂを備える。
可撓性袋体２９Ｂは、例えばピローパッケージ等の袋型容器で、その内部に収容空間２１Ｂを有する。収容空間２１Ｂには薬剤３０が充填されている。可撓性袋体２９Ｂは、折り曲げられるように可撓性を有する。
第１面ファスナ２７Ｂは、可撓性袋体２９Ｂの端部からせり出すように、可撓性袋体２９Ｂの端部に取り付けられている。第１面ファスナ２７Ｂは、後述する第２面ファスナ２８Ｂと面接触させることで着脱可能に結合する。第２面ファスナ２８Ｂは、第１面ファスナ２７Ｂが設けられている端部の反対側の端部における可撓性袋体２９Ｂの外側の表面に固着されている。可撓性袋体２９Ｂがテンプル１４に巻き付けられた状態で、第１面ファスナ２７Ｂと第２面ファスナ２８Ｂが互いに結合する。これにより、可撓性袋体２９Ｂがテンプル１４に留められている。
通孔２２Ｂは可撓性袋体２９Ｂの外側の表面に設けられている。通孔２２Ｂが外側を向くように可撓性袋体２９Ｂがテンプル１４に巻き付けられ、通孔２２Ｂが露出する。
気液分離膜としての膜２３Ｂは、通孔２２Ｂを塞いでいる。収容空間２１Ｂ内の薬剤３０の気体が膜２３Ｂを通過し、通孔２２Ｂを通じて収容空間２１Ｂの外部へと放散される。
【００３４】
第１面ファスナ２７Ｂと第２面ファスナ２８Ｂは互いに着脱可能である。薬剤収容パッケージ２０Ｂ内の薬剤３０が減ったら、第１面ファスナ２７Ｂと第２面ファスナ２８Ｂを互いに剥離すると、薬剤収容パッケージ２０Ｂを眼鏡フレーム１０Ｂから取り外すことができる。そのため、薬剤３０が充填された新たな薬剤収容パッケージ２０Ｂをテンプル１４に巻き付けて外装することができる。それゆえ、薬剤３０の効能が引き続き得られる。
【００３５】
また、薬剤収容パッケージ２０Ｂはフレーム本体に特別な構造を要求しない。それゆえ、フレーム本体が既存のものであっても、薬剤収容パッケージ２０Ｂをフレーム本体に取り付けるだけで、眼鏡１Ｂの着用者の頭部の周辺に薬剤３０が漂って、薬剤３０の効能が着用者の頭部にも及ぶ。
【００３６】
＜＜変形例＞＞
なお、膜２３，２３Ａ，２３Ｂの代わりに、吸収性芯材が通孔２２，２２Ａ．２２Ｂに嵌め込まれて、通孔２２，２２Ａ．２２Ｂから収容空間２１，２１Ａ，２１Ｂ内に突き出ていてもよい。この場合、薬剤３０が吸収性芯材に吸収されて、その薬剤が吸収性芯材から周辺雰囲気に蒸散する。
また、通孔２２，２２Ａ．２２Ｂが小さければ、通孔２２，２２Ａ，２２Ｂが膜２３，２３Ａ，２３Ｂ又は吸収性芯材によって閉塞されていなくてもよい。この場合、収容空間２１，２１Ａ，２１Ｂ内の液状の薬剤３０が表面張力により通孔２２，２２Ａ，２２Ｂを通過しないが、気体状の薬剤３０は通孔２２を通過する。
また、薬剤３０は液状ではなく、固体、ゲル又は気体であってもよい。この場合、通孔２２，２２Ａ，２２Ｂが膜２３，２３Ａ，２３Ｂ又は吸収性芯材によって閉塞されていなくてもよい。
さらに、上記実施形態では、眼鏡フレーム１０に、薬剤収容部２０、薬剤収容カートリッジ２０Ａ、あるいは薬剤収容パッケージ２０Ｂを設けるものとしたが、銅、光触媒（例えば、酸化チタン）又はナノシルバー等の抗菌素材が眼鏡フレーム１０の一部又は全体の表面にコーティングされているか、眼鏡フレーム１０の一部又は全体が抗菌素材をフィラーとして母材樹脂に分散してなる抗菌性樹脂からなる場合は、薬剤収容部２０、薬剤収容カートリッジ２０Ａ、あるいは薬剤収容パッケージ２０Ｂを省略してもよい。
【符号の説明】
【００３７】
１，１Ａ，１Ｂ…眼鏡
１０…眼鏡フレーム
２０…薬剤収容部
２０Ａ…薬剤収容カートリッジ
２０Ｂ…薬剤収容パッケージ
２４…注入口
２５…蓋
２８Ａ…凹部
２７Ｂ…第１面ファスナ
２８Ｂ…第２面ファスナ
２９Ａ…カートリッジ本体
２９Ｂ…可撓性袋体
【図１】
0003228384.tif 000003
【図２】
0003228384.tif 000004
【図３】
0003228384.tif 000005
【図４】
0003228384.tif 000006